(57)【要約】【課題】オブジェクト自身が発光しなくても、オブジェクトを動かさなくても、複数のオブジェクトが作り出す模様に輝きと色彩を与え、更にその模様の輝きと色彩を次々と変えることができ、しかもオブジェクトを動かすと、二度と会えない一瞬だけの模様を次々と作ることができて、周囲が暗くてもその影響を受け難くする。【解決手段】筒体２にオブジェクト２０を照明する赤色発光ダイオード、緑色発光ダイオード、青色発光ダイオード８と、それ等の点灯を制御する彩色調節用コントローラ１０とを備える。【選択図】        図１
2004151613.tif 000002
【特許請求の範囲】
【請求項１】
反射鏡面を内側に向けて設けた鏡筒を外筒内に収容して筒体を構成し、その筒体の前側に複数のオブジェクトを収容した透明なケースを連設してなる万華鏡であって、上記筒体にオブジェクトを照明する赤色発光ダイオード、緑色発光ダイオード、青色発光ダイオードと、それ等の点灯を制御する彩色調節用コントローラとを備えることを特徴とする彩色照明付き万華鏡。
【請求項２】
オブジェクトケースの前面壁を反射面にすることを特徴とする請求項１記載の彩色照明付き万華鏡。
【請求項３】
筒体にオブジェクトを照明する白色発光ダイオードを備えることを特徴とする請求項１又は２記載の彩色照明付き万華鏡。
【発明の詳細な説明】
【０００１】
【発明の属する技術分野】
本発明は、発光ダイオードを用いた万華鏡に関する。
【０００２】
【従来の技術】
従来、反射鏡面を内側に向けて設けた角形または丸形の鏡筒を有する種々の万華鏡が開発され、使用されている。特に、万華鏡として最も一般的なものは３枚の長方形鏡を組み合せて三角形の鏡筒を作り、その鏡筒を円筒状の外筒内に収容した筒体内に、多数の彩色したビーズ、紙片等の種々のオブジェクトを収容し或いは筒体の前側にオブジェクトを収容した円筒状の透明ケースを連設したものである。このような万華鏡を用いると、筒体を手で回しながら、或いはオブジェクトケースを筒体に対して回動自在にしておき、そのオブジェクトケースを手で回しながら筒体の後面壁の中央に設けた穴から覗いて、様々に変化する美しい色模様を見て楽しむことができる。
【０００３】
又、万華鏡の筒体に連設するオブジェクトケースとして、多数のオブジェクトを収容した棒状の透明ケースを、更に透明なケースに上下に挿通させたものもあり、そのようなものでは筒体を上下に反転させるだけで、棒状ケース内を次々と落下して行くオブジェクトにより、様々な模様の変化を楽しむことができる。特に、多数のオブジェクトを収納した透明ケース内にオイル等の液体を充填しておくと、オブジェクトの動きが緩慢になるため、当然模様の変化も緩慢となる。それ故、その緩やかな変化を楽しみ、穏やかな安らぎを感じることができる。
【０００４】
又、このような万華鏡に対し、最近万華鏡の模様を作り出すオブジェクトを配置する位置に発光ダイオードを配置し、発光ダイオードの点灯及び輝度とそれ等の時間的変化を制御する回路を設け、発光ダイオードの点灯光を利用することにより、従来の万華鏡ではオブジェクトそれ自身は発光しないため、輝きにおいて物足りなさがあったが、周囲の明るさに関係なく、覗いているだけで次々と変化する、輝きある美しい模様が見られる電子万華鏡が提示された。
【０００５】
【特許文献１】
特許公開２００１―２１５４４２号公報
【０００６】
【発明が解決しようとする課題】
しかしながら、このような電子万華鏡では多数のオブジェクトに替えて発光ダイオードを用い、各オブジェクトの配置位置に発光ダイオードを夫々対応させて配置するため、それ等の各発光ダイオードの位置は固定されている。この点、従来からの万華鏡では多数の各オブジェクトが通常三次元の空間内で夫々自在に移動できるようになっている。
【０００７】
それ故、電子万華鏡に発光ダイオードの点灯及び輝度とそれ等の時間的変化を制御する回路を設けておいても、見られる模様がパターン化して繰り返されることになり、見ていると早く飽きがくる。しかも、見られる模様数を簡単に多くすることができない。この点、従来からの万華鏡によると、二度と会えない一瞬だけの美しい模様が次々と作られていくため、見ていても飽きることなく、その模様の変化を楽しむことができる。但し、従来からの万華鏡では模様を作りだすオブジェクトそれ自身は発光しないため、輝きにおいて物足りなさがあり、しかもオブジェクトの位置を動かさなければ、新たな模様を見ることができない。
【０００８】
本発明はこのような従来の問題点に着目してなされたものであり、オブジェクト自身が発光しなくても、オブジェクトを動かさなくても、複数のオブジェクトが作り出す模様に輝きと色彩を与えて、その輝きと色彩を次々と変えることができ、しかもオブジェクトを動かすと、二度と会えない一瞬だけの模様を次々と作ることができて、周囲が暗くてもその影響を受け難い万華鏡を提供することを目的とする。
【０００９】
【課題を解決するための手段】
上記目的を達成するために、本発明による彩色照明付き万華鏡は反射鏡面を内側に向けて設けた鏡筒を外筒内に収容して筒体を構成し、その筒体の前側に複数のオブジェクトを収容した透明なケースを連設する。そして、上記筒体に、オブジェクトを照明する赤色発光ダイオード、緑色発光ダイオード、青色発光ダイオードと、それ等の点灯を制御する彩色調節用コントローラを備える。
【００１０】
又、オブジェクトケースの前面壁を反射面にすると好ましくなる。
又、筒体にオブジェクトを照明する白色発光ダイオードを備えるとよい。
【００１１】
【発明の実施の形態】
以下、添付の図１〜５を参照して、本発明の実施の形態を説明する。
図１は本発明を適用し、赤色、緑色、青色等の各発光ダイオードを備えた彩色照明用ユニットの電気回路を示す彩色照明付き万華鏡の右側面図、図２はその彩色照明付き万華鏡の斜視図である。この彩色照明付き万華鏡１はその基本構造を例えば従来からの万華鏡とほぼ同一にし、本体部に相当する筒体２とその筒体２の前側に連設したオブジェクトケース３とから構成する。又、その筒体２を図３に示すように反射鏡面を内側に向けて設けた鏡筒４とその鏡筒４を内部に収容する外筒５との二重筒にする。その際、鏡筒４として、例えば３枚の長方形の鏡６（６ａ、６ｂ、６ｃ）を正三角形の筒状に組み合わせて一体に結合して用いる。又、外筒５として、円筒状の透明なプラスチック筒を用いる。
【００１２】
そして、鏡筒４と外筒５との間の空間内で、その鏡筒４を構成する各鏡６の前端中央の直近外側の位置に、鏡６ａ、６ｃについては一般的な照明用の白色発光ダイオード７（７ａ、７ｂ）を備え付け、鏡６ｂについては赤色発光ダイオード、緑色発光ダイオード、青色発光ダイオードをまとめた彩色照明用のユニット８を備え付ける。なお、９は筒体２の後面壁中央に設けた覗き穴である。
【００１３】
又、図１に示すように彩色照明用ユニット８の直近後方に各発光ダイオードの点灯を制御する彩色調節用コントローラ１０を備え付ける。なお、彩色調節用コントローラ１０は彩色照明用ユニット８と一体化することもできる。そして、彩色照明用ユニット８と彩色調節用コントローラ１０に電源となる電池１１とその電源スイッチ１２とを接続する。その際、図４に示すように電池１１と電源スイッチ１２とを鏡筒４と外筒５との間の空間内に配置し、各鏡６ｂ、６ｃの後端中央の外側位置に夫々備え付ける。
【００１４】
これ等の電池１１と電源スイッチ１２とは、図５に示すように並列接続することにより、照明用の白色発光ダイオード７ａ、７ｂにも共通に用いる。そして、筒体２の後側開口に後面壁１６を形成するため、中央に透明部材で閉鎖した覗き穴９を設け、電池ケース１３の蓋部１４と電源スイッチ１２の操作部１５とを外部に夫々臨ませて備えた不透明なプラスチック円板を固着し閉鎖する。なお、外筒５は内部の光がその外周面から外部に漏れないように、絵や模様等を外面に施した紙や筒体等をその内部に入れて内周面に沿わせる等して不透明化する。
【００１５】
このような筒体２の前側開口はオブジェクトケース３を連設する際に、そのケース３の後面壁１７を固着すると閉鎖できる。そこで、オブジェクトケース３として例えば従来から使用されているもの、即ち種々の形状、色付きのビーズ等を多数オブジェクトとして用い、円筒状の透明なプラスチック筒に収容して、グリセリン等のオイルを充填し密閉したものを用いる。そして、このオブジェクトケース３の前面壁１８の外面に薄い反射板、フィルム等を張着する。すると、反射層１９を形成して前面壁１８を反射面にし、前方からオブジェクトケース３に入る光を遮断し、内部の光を反射できる。なお、２０はオブジェクトである。
【００１６】
このようにして完成した彩色照明付き万華鏡１は使用時に外部に臨む電源スイッチ１２の操作部１５をオン位置に移動し、スイッチ１２を入れる。すると、彩色照明用ユニット８とその彩色調節用コントローラ１０に電池１１が接続され、赤色、緑色、青色等の各発光ダイオードが点灯可能になる。そこで、彩色調節用コントローラに先に彩色照明用ユニット８に備えた各発光ダイオードの点灯を制御するプログラミング処理を施しておく。すると、彩色照明用ユニット８からオブジェクト２０へ照射する照明色を例えば０．５秒間隔で赤、緑、青、黄、ピンク、紫、白色と７色に次々と変化させ、２秒停止後次の照明方法に移る等、スイッチ１２をオフにするまで種々の照明方法で照射できる。
【００１７】
このため、オブジェクト２０が発光しなくても、オブジェクト２０を動かさなくても、多数のオブジェクト２０が作り出す模様に輝きと色彩を与え、更にその模様の輝きと色彩を次々と変えることができる。そして、万華鏡１を適宜回動させる等してオブジェクト２０を動かすと、二度と会えない一瞬だけの美しい模様を次々と作ることができる。
【００１８】
しかも、オブジェクトケース３の前面壁１８を反射面にしておくと、彩色照明用ユニット８を構成する各発光ダイオードの点灯光と、オブジェクトケース３の透明な周面壁から内部に入る光を前面壁１８で反射させて有効利用でき、多数のオブジェクト２０が作り出す模様の輝きと明るさを増加できる。それ故、このような万華鏡１は周囲が多少暗くて内部に入る光が少なくても、彩色照明用ユニット８の点灯光と反射光とにより使用することができる。又、周囲が暗く内部に入る光がなくても、オブジェクト２０を照射する白色発光ダイオードを照明用に備えているため、十分使用できる。
【００１９】
なお、スイッチ１２をオフにしておくと、当然従来からの万華鏡と同様に使用できる。
【００２０】
【発明の効果】
以上説明した本発明によれば、請求項１記載の発明ではオブジェクト自身が発光しなくても、オブジェクトを動かさなくても、複数のオブジェクトが作り出す模様に輝きと色彩を与え、更にその模様の輝きと色彩を次々と変えることができる。しかも、筒体を回動させる等してオブジェクトを動かすと、二度と会えない一瞬だけの模様を次々と作ることができて、発光ダイオードの点灯光により周囲が暗くてもその影響を受け難くなる。
【００２１】
又、請求項２記載の発明でオブジェクトケースの前面壁を反射面にすることにより、各発光ダイオードの点灯光とオブジェクトケースの透明な周面壁から内部に入る光を前面壁で反射させて有効利用でき、複数のオブジェクトが作り出す模様の輝きと明るさを増加できる。それ故、周囲が多少暗くて内部に入る光が少なくても、各発光ダイオードの点灯光と反射光とを利用して使用することができる。
【００２２】
又、請求項３記載の発明では筒体にオブジェクトを照明する白色発光ダイオードを備えることにより、周囲が暗く内部に入る光がなくても、白色発光ダイオードの点灯光によりオブジェクトを照明でき、使用することができる。
【図面の簡単な説明】
【図１】本発明を適用し、赤色、緑色、青色の各発光ダイオードを備えた彩色照明用ユニットの電気回路を示す彩色照明付き万華鏡の右側面図である。
【図２】同彩色照明付き万華鏡の斜視図である。
【図３】同彩色照明付き万華鏡の筒体の正面図である。
【図４】同筒体の背面図である。
【図５】同彩色照明付き万華鏡の電気回路図である。
【符号の説明】
１…彩色照明付き万華鏡  ２…筒体  ３…オブジェクトケース  ４…鏡筒  ５…外筒  ６…鏡  ７…白色発光ダイオード  ８…彩色照明用ユニット  ９…覗き穴  １０…彩色調節用コントローラ  １１…電池  １２…電源スイッチ  １３…電池ケース  １４…蓋部  １５…スイッチの操作部  １６…筒体の後面壁  １７…オブジェクトケースの後面壁  １８…オブジェクトケースの前面壁  １９…反射層  ２０…オブジェクト
【図１】
2004151613.tif 000003
【図２】
2004151613.tif 000004
【図３】
2004151613.tif 000005
【図４】
2004151613.tif 000006
【図５】
2004151613.tif 000007